(57)【要約】【課題】アクセス元となるパソコンなど、実際にポータル画面を表示する装置には、ポータル画面を自由に構成できる仕組みも、また、そのための情報も置かれていなかった。【解決手段】本願に係る情報取得装置は、アクセス元となるパソコンや情報家電などにポータル画面を表示する装置であり、ポータル画面を簡単に構成できる仕組み及び、また、そのための情報を利用者に提供するものである。本願に係る情報取得装置は、テンプレート保持部とポータル画面コンテンツ情報保持部と情報取得部とからなる。【選択図】図１
2004246509.tif 000002
【特許請求の範囲】
【請求項１】
ポータル画面を利用して情報を取得する情報取得装置であって、
テンプレートを複数保持するテンプレート保持部と、
前記テンプレートを利用したポータル画面を構成するための情報であるポータル画面コンテンツ情報を、前記テンプレートと関連付けて保持するポータル画面コンテンツ情報保持部と、
前記テンプレートと、前記ポータル画面コンテンツ情報とから構成されるポータル画面を利用して外部から情報を取得する情報取得部と、
からなる情報取得装置。
【請求項２】
前記テンプレート保持部に保持されているテンプレートと、前記ポータル画面コンテンツ情報保持部に保持されているポータル画面コンテンツ情報と、を利用してポータル画面を生成するポータル画面生成部をさらに有する請求項１に記載の情報取得装置。
【請求項３】
前記テンプレート保持部に保持されたテンプレートをカスタマイズするテンプレートカスタマイズ部をさらに有する請求項１に記載の情報取得装置。
【請求項４】
前記ポータル画面コンテンツ情報保持部は、前記情報取得部で取得した情報の全部又は一部をポータル画面コンテンツ情報として保持する請求項１に記載の情報取得装置。
【請求項５】
前記ポータル画面コンテンツ情報保持部は、前記情報取得部で取得した情報の全部又は一部をポータル画面コンテンツ情報として保持し、
前記テンプレートカスタマイズ部は、前記ポータル画面コンテンツ情報保持部に保持されるポータル画面コンテンツ情報を利用して前記カスタマイズをする請求項３に記載の情報取得装置。
【請求項６】
前記情報取得部は、通信により情報を取得する通信手段、放送により情報を取得する受信手段、記録媒体から情報を取得する入力手段のいずれか一以上の手段を有する請求項１又は４に記載の情報取得装置。
【請求項７】
前記ポータル画面コンテンツ情報は、音声情報、映像情報、文字情報のいずれか一以上からなる請求項１又は４に記載の情報取得装置。
【請求項８】
前記ポータル画面コンテンツ情報は、プログラムである請求項１又は４に記載の情報取得装置。
【請求項９】
前記情報取得装置は情報家電である請求項１から請求項８いずれか一に記載の情報取得装置。
【発明の詳細な説明】
【０００１】
本発明の実施形態１は主に請求項１に対応する。
【０００２】
本発明の実施形態２は主に請求項２に対応する。
【０００３】
本発明の実施形態３は主に請求項３に対応する。
【０００４】
本発明の実施形態４は主に請求項４に対応する。
【０００５】
本発明の実施形態５は主に請求項５に対応する。
【０００６】
本発明の実施形態６は主に請求項６に対応する。
【０００７】
本発明の実施形態７は主に請求項７に対応する。
【０００８】
本発明の実施形態８は主に請求項８に対応する。
【０００９】
本発明の実施形態９は主に請求項９に対応する。
【００１０】
【発明の属する技術分野】
本発明はインターネットなどに接続される情報家電などのポータル画面のサービスを提供する装置に関する。
【００１１】
【従来の技術及び発明が解決しようとする課題】
ポータルサイトに関する先行技術文献として下記公知技術がある。
【００１２】
【特許文献１】
特開２００２−２０２９８１号公報（第２−６頁、第１−８図）
【００１３】
つまり、従来のポータルサイトは、特定のポータルサイトにアクセスすることではじめて情報を取得するためのポータルとしての機能を有するものであった。そして、画面の構成などがそのポータルサイトの提供者により決められていた。また、カスタマイズが可能なポータル画面を提供するポータルサイトもあったが、そのカスタマイズ可能な範囲はあくまでも提供者が用意した範囲内でカスタマイズできるものでしかなかった。
【００１４】
これらの問題点は、ポータル画面が、アクセス先のサーバに、その仕様、そのポータル画面を構成するための情報など各種の点で依存するものであったからである。
【００１５】
言い換えると、アクセス元となるパソコンなど、実際にポータル画面を表示する装置には、ポータル画面を自由に構成できる仕組みも、また、そのための情報も置かれていなかった。
【００１６】
また、ホームページのエディタ用ソフトウェアや画像のクリップ集などをアクセス元となるパソコンなどに導入することにより、利用者がポータル画面を自由に構成することは可能であるが、パソコンなどの初心者がポータル画面を自由に構成できる様になる為には前記ホームページのエディタ用ソフトウェアなどの操作の訓練などが必要となっていた。
【００１７】
【課題を解決するための手段】
本願に係る情報取得装置は、アクセス元となるパソコンや情報家電などにポータル画面を表示する装置であり、ポータル画面を簡単に構成できる仕組み及び、また、そのための情報を利用者に提供するものである。
【００１８】
本願に係る情報取得装置は、テンプレート保持部とポータル画面コンテンツ情報保持部と情報取得部とからなる。
【００１９】
【発明の実施の形態】
＜実施形態１＞
【００２０】
＜概要＞
【００２１】
図１は本実施形態の情報取得装置の概要の一例である。たとえば、利用者は休日に釣りに行きたいと思ったとする。そこで、情報取得装置が有する釣りのトピックを特集したポータル画面を表示するように情報取得装置などに指示する。すると、情報取得装置は釣りのポータル画面コンテンツ情報と釣りのテンプレートを基に、情報取得装置を有する情報家電などに釣り専門のポータル画面を表示させる。また、ある時には、経済の情報が知りたいと思ったとする。そこで、情報取得装置が有する経済のトピックを特集したポータル画面を表示するように情報取得装置などに指示し、情報取得装置は経済のポータル画面コンテンツ情報と経済のテンプレートを基に、情報取得装置を有する情報家電などにポータル画面を表示させる。このように、利用者は知りたい情報に応じて自由にポータル画面を構成することができる。
【００２２】
＜構成＞
【００２３】
図２は実施形態１の機能ブロックの一例を示すものである。実施形態１の情報取得装置０２００はテンプレート保持部０２０１とポータル画面コンテンツ情報保持部０２０２と情報取得部０２０３とからなる。
【００２４】
「ポータル画面」とは、情報取得装置において情報を取得するための入り口となる画面をいう。たとえば、情報取得装置などの電源がオンにされた際にディスプレイに最初に表示される情報取得のための画面などをいう。一例として、情報取得装置は、通信用機器や情報処理装置などが内蔵されている情報による付加価値を高めた家庭用電化製品である。
【００２５】
「テンプレート保持部」はテンプレートを複数保持する。「テンプレート」とは、ポータル画面のポータル画面コンテンツ情報を表示するための形式を定めた情報である。たとえば、テンプレートの一例として、ポータル画面に利用するタイトルなどの文字及び画像の属性の情報、または、ポータル画面に利用する文字及び画像の情報の配置位置を決定する情報、または、ポータル画面の遷移の情報、または、ポータル画面上に表示される操作ボタンの属性の情報などを挙げることができる。「ポータル画面コンテンツ情報」とは、前記テンプレートを利用したポータル画面のコンテンツを構成するための情報である。たとえば、ポータル画面コンテンツ情報は、ポータル画面のコンテンツである特定のトピックの内容の情報であり、ポータル画面に表示される情報であり、文字や数字や画像の情報であってもよいし、外部のホームページへリンクする情報であってもよい。「複数保持」とは、テンプレート保持部が前記テンプレートを複数有していることをいう。
【００２６】
「ポータル画面コンテンツ情報保持部」は前記ポータル画面コンテンツ情報を、前記テンプレートと関連付けて保持する。「関連付けて」とは、ポータル画面コンテンツ情報とテンプレートとを、一対一または一対多または多対一または多対多で関連付けることをいう。「保持」とは、ポータル画面コンテンツ情報を、前記テンプレートと関連付けて、情報取得装置自身がいつでも利用できる状態で有することをいう。そして、情報取得装置自身にポータル画面コンテンツ情報を保持することで、従来の技術に比較してポータル画面のカスタマイズなどの自由度を大きく向上することが可能となる。
【００２７】
「情報取得部」は、前記テンプレートと、前記ポータル画面コンテンツ情報とから構成されるポータル画面を利用して外部から情報を取得する。「利用して」とは、前記情報取得部が情報を取得するためにポータル画面に表示されている情報を介することをいう。
【００２８】
「ポータル画面に表示されている情報を介する」とは、ポータル画面に表示されている情報を利用することで取得すべき情報を表示する新たな画面に遷移することを言う。
【００２９】
また、「ポータル画面に表示されている情報を介する」とは、ポータル画面に表示されている情報を利用することで取得すべき情報をポータル画面自体に表示することをも言う。
【００３０】
前者の例としては、例えば、ポータル画面上のリンクボタンを押すことでそのリンクページがディスプレイ上に表示されることが該当する。後者の例としては、ポータル画面コンテンツ情報により生成されるポータル画面上に表示される日本地図の関東地方をクリックすると、関東地方の地図上に所定の時間の経過ごとに更新される天気図が表示されることなどが該当する。この場合に、天気図の情報は、ポータル画面を利用して外部から取得される情報ということができる。
【００３１】
「外部から」とは、情報取得装置以外からを意味する。外部から情報を取得するために例えばインターネットを利用することが考えられる。またその他に外部から情報を取得する経路として、電話回線、放送、ケーブルテレビ放送、専用回線などを利用することが考えられる。
【００３２】
図３に本実施形態の釣り専門のポータル画面の一例を示す。釣り専門のポータル画面に表示されるポータル画面コンテンツ情報として釣果の情報０３０１や著名な釣り場所の天気０３０２（インターネットを通じて５分ごとに更新されるポータル画面コンテンツ情報）や釣り場の地図０３０３や釣りに関連する道具の情報０３０４などが表示される。また、各地の釣りの同友会などの情報０３０５が表示される。そして、利用者などは前日の釣り場の様子を情報取得装置に接続されたパソコンなどに録画しておくことで、他人が釣れているかを録画の映像を通じて確認してもよい。このように、利用者の要望に応じたポータル画面が自由に構成され、利用者はポータル画面を通じて簡単に欲しい情報を得ることができる。
【００３３】
図４に本実施形態の他のポータル画面の一例を示す。たとえば、録画したテレビ番組へのリンク先の情報を示すバナー画像であるポータル画面コンテンツ情報０４０１と、ポータル画面の遷移（ポータル画面中の他のポータル画面への切替）などを定義するポータル画面コンテンツ情報０４０２と、日毎に更新される占いの情報であるポータル画面コンテンツ情報０４０３と、ノーマルのレイアウトのテンプレート０４０４とを関連づけの一例を示す。
【００３４】
図５は本実施形態における別のポータル画面の一例である。図５のように前記ポータル画面コンテンツ情報を別のレイアウトのテンプレート０５０１と関連づけてもよい。つまり、図５は図４でのポータル画面コンテンツ情報を別のテンプレートで表示したものである。このようにして、複数のテンプレートに対して同じ複数のポータル画面コンテンツ情報を関連づけてもよい。
【００３５】
＜処理の流れ＞
【００３６】
図６に示すのは実施形態１のフローの一例である。実施形態１は以下のステップを有してもよい。まず、テンプレートを指定する（ステップＳ０６０１）。そして、テンプレートを取り出す（ステップＳ０６０２）。そして、テンプレートと関連するポータル画面コンテンツ情報を取り出す（ステップＳ０６０３）。そして、テンプレートとポータル画面コンテンツ情報よりポータル画面を構成する（ステップＳ０６０４）。以上の処理は情報取得装置の利用者がポータル画面を変更する必要が生じた際に処理されてもよい。そして、利用者がポータル画面を変更する必要がない時には、情報取得装置を有する情報家電などに固定的に設定されたポータル画面を通じて利用者は情報を取得してもよい。
【００３７】
また、本実施形態の処理の流れの一例を次に示す。情報取得装置の利用者などは釣り専門のポータル画面を見たい時には情報取得装置のリモコンボタンなどを通じて釣り専門のポータル画面を情報取得装置を有する情報家電などに表示させるための指示を出す。そして、情報取得装置はテンプレート保持部より釣り専門ポータル画面用のテンプレートを取り出し、そして、前記釣り専門ポータル画面用のテンプレートに関連づけられるポータル画面コンテンツ情報をポータル画面コンテンツ情報保持部より取り出す。そして、釣り専門のポータル画面用のテンプレートに基づいてポータル画面コンテンツ情報が構成及び配置され、釣り専門のポータル画面として情報取得装置を有する情報家電などの画面に表示される。「情報家電」とは、通信用機器や情報処理装置などが内蔵されている、情報による付加価値を高めた家庭用電化製品をいう。
【００３８】
＜効果＞
【００３９】
情報取得装置の利用者は自分が知りたい情報が表示されるポータル画面を簡単に構成でき、そのポータル画面を通じて情報を取得することができる。
【００４０】
＜実施形態１以上＞
【００４１】
＜実施形態２＞
【００４２】
＜概要＞
【００４３】
本実施形態の情報取得装置を利用することで利用者の要望に応じたポータル画面が自由に構成され、情報取得装置などの利用者は、情報取得装置により生成されたポータル画面を通じて情報を簡単に取得することができる。
【００４４】
＜構成＞
【００４５】
図７は実施形態２の機能ブロックの一例を示すものである。実施形態２の情報取得装置０７００は、実施形態１と同様に、テンプレート保持部０７０１とポータル画面コンテンツ情報保持部０７０２と情報取得部０７０３とからなる。
【００４６】
そして、本実施形態の情報取得装置０７００はさらに、実施形態１に記載のテンプレート保持部に保持されているテンプレートと、実施形態１に記載のポータル画面コンテンツ情報保持部に保持されているポータル画面コンテンツ情報と、を利用してポータル画面を生成するポータル画面生成部０７０４を有することを特徴とする。「ポータル画面を生成する」とは、前記テンプレート保持部に保持されているテンプレートに基づいて、前記ポータル画面コンテンツ情報保持部に保持されているポータル画面コンテンツ情報を利用者の要望に応じて構成し、そして、情報取得装置を有する情報家電などに利用される実行形式のポータル画面として構成することをいう。「実行形式」とは、情報取得装置が情報を取得するなどの制御を行うことが可能となるポータル画面の表示の一形式をいう。たとえば、ポータル画面の特定の箇所を利用者がマウスやリモコンなどで指定することなどで簡単に情報取得装置を操作することができる形式である。
【００４７】
図８に本実施形態の情報取得装置のポータル画面生成部の実施の一例を示す。
【００４８】
例えば、釣りのポータル画面コンテンツ情報の欄０８０１にニュース、道具、同好会、天気、魚図鑑などの特定のトピックの情報０８０２が配置されている。利用者はポータル画面に表示させたいポータル画面コンテンツ情報の特定のトピックの情報０８０２にフラグ０８０３などを付けることでポータル画面に表示させる情報を、ポータル画面表示ボタン０８１１を押すことで選択する。
【００４９】
また、釣りのポータル画面コンテンツ情報を追加及び削除したりするために、ポータル画面コンテンツ情報の特定のトピックの情報０８０２にフラグ０８０４などを付ける。そして、追加のためのフラグが特定のトピックの情報０８０２に設定され、ポータル画面コンテンツ情報の追加の指示が追加のボタン０８０８を押すことで指示されると、新たなポータル画面コンテンツ情報を取得するための別の画面が起動される。また、削除のためのフラグが特定のトピックの情報に設定され、ポータル画面コンテンツ情報の削除の指示が削除のボタン０８０９を押すことで指示されると、情報取得装置が保持している特定のトピックに情報に関するポータル画面コンテンツ情報を削除するための別の画面が起動される。
【００５０】
これらは、アクセス元となる情報取得装置にポータル画面コンテンツ情報を有する構成であることで可能となる。そして、釣りのポータル画面コンテンツ情報が３つから構成されるコラムのテンプレート０８０５に関連付けられている。そして、複数の釣りのポータル画面コンテンツ情報の特定のトピックの情報の中からポータル画面に表示すると選択された特定のトピックの情報０８１０がテンプレート内のそれぞれのコラム０８０６に配置されている。そして、前記コラム０８０６に配置された特定のトピックの情報をどのコラムに配置するか及びコラム内での上下の順番などを利用者が好みに合わせてボタン０８０７を利用して自由に変更できる。特に、コラム間で前記配置された特定のトピックの情報０８１０の配置を変更することは、ポータル画面が表示される装置がアクセス元となる情報取得装置に限定される構成であることで可能となる。
【００５１】
図９に本実施形態の実行形式のポータル画面の実施の一例を示す。ポータル画面が実行形式となることで、利用者がポータル画面の特定の箇所をマウスのカーソルの移動及びクリックをすることで簡単にポータル画面から情報を取得することができてもよいし（０９０１）、ポータル画面の特定箇所を利用者の手で触れることでポータル画面から情報を取得することができてもよいし（０９０２）、利用者がリモコンを操作することでポータル画面から情報を取得することができてもよい（０９０３）。
【００５２】
＜処理の流れ＞
【００５３】
図１０に示すのは実施形態２のフローの一例である。実施形態２は以下のステップを有してもよい。まず、テンプレートを指定する（ステップＳ１００１）。そして、テンプレートを取り出す（ステップＳ１００２）。そして、関連するポータル画面コンテンツ情報を取り出す（ステップＳ１００３）。そして、利用者がポータル画面コンテンツ情報を自由に構成する（ステップＳ１００４）。そして、テンプレートとポータル画面コンテンツ情報より実行形式のポータル画面を生成する（ステップＳ１００５）。そして、実行形式のポータル画面を通じて情報を取得する（ステップＳ１００６）。
【００５４】
また、本実施形態の処理の流れの一例を次に示す。ポータル画面コンテンツ情報が釣り、ゴルフ、経済などのトピック毎にポータル画面コンテンツ情報保持部に保持されている際に、情報取得装置の利用者などが特定のトピックのポータル画面コンテンツ情報をポータル画面コンテンツ情報保持部より指定し、そして、それに関連するテンプレートをテンプレート保持部より指定することで、ポータル画面生成部が特定のトピックに応じたポータル画面コンテンツ情報を利用者の要望に応じて構成し、それに関連するテンプレートに基づいたレイアウトを有するように前記ポータル画面コンテンツ情報を配置する。そして、利用者の応じたインターフェースを有する実行形式のポータル画面を生成する。
【００５５】
＜効果＞
【００５６】
本実施形態の情報取得装置を利用することで、利用者の要望に応じて自由にポータル画面を構成し、そのポータル画面を利用して簡単に情報を取得することができる。
【００５７】
＜実施形態２以上＞
【００５８】
＜実施形態３＞
【００５９】
＜概要＞
【００６０】
実施形態３の情報取得装置は、実施形態１に記載のテンプレートのポータル画面をカスタマイズするテンプレートカスタマイズ部をさらに有することを特徴とする。そして、利用者などは本実施形態の情報取得装置を利用する際に、ポータル画面に表示される文字の情報フォントサイズの大きさや配置やポータル画面コンテンツ情報の配置などを変更したりできる。このようにして、利用者は、自身が見やすいようにポータル画面のレイアウトの設定を行うことができる。たとえば、高齢者用のポータル画面ならば、文字の情報が最低でもフォントサイズが２０ポイント以上となる。そして、縦書きを好まれる高齢者などには、通常は横書きのレイアウトであるポータル画面を縦書きのレイアウトのポータル画面に変更し、ポータル画面コンテンツ情報を縦に配置し直す。
【００６１】
＜構成＞
【００６２】
図１１は実施形態３の機能ブロックの一例を示すものである。実施形態３の情報取得装置１１００は、実施形態１と同じ様に、テンプレート保持部１１０１とポータル画面コンテンツ情報保持部１１０２と情報取得部１１０３とを有する。これらは前述の実施形態と基本的に同様の機能を果たすので説明は省略する。
【００６３】
実施形態３の情報取得装置はさらに実施形態１に記載のテンプレートのポータル画面をカスタマイズするテンプレートカスタマイズ部１１０４を有する。「カスタマイズ」とは、ポータル画面の文字や画像の情報の属性の設定、または、ポータル画面の文字や画像の情報の配置の設定、または、ポータル画面コンテンツ情報の配置の設定などを行うことをいう。
【００６４】
たとえば、釣り専門のポータル画面をカスタマイズした場合を一例として説明する。釣りの釣果の内容が画面全体に表示されている場合に、前記釣果の情報のうち釣果の場所の情報のみを前記ポータル画面の上部に表示させるようにポータル画面を設定する。そして、ポータル画面の空いた下部には釣りの同好会の情報を表示させるように設定する。そして、前記釣果の情報の位置を左側に寄せるように設定し、空いた右の部分に利用者自身の有している利用者が過去に釣った魚の画像をアイコンサイズでリストにして表示するように設定する。このようにして、ポータル画面に利用者が好む釣りの情報を利用者が好むレイアウトで表示させることができる。また、前記カスタマイズする際にはポータル画面のレイアウトを編集するための画面が別に用意されていてもよい。
【００６５】
＜処理の流れ＞
【００６６】
図１２に示すのは実施形態３のフローの一例である。実施形態３は以下のステップを有してもよい。まず、テンプレートと共にポータル画面コンテンツ情報を取得する（ステップＳ１２０１）。そして、ポータル画面のテンプレートをカスタマイズする（ステップＳ１２０２）。そして、カスタマイズされたポータル画面を設定する（ステップＳ１２０３）。そして、ポータル画面を利用して外部から情報を取得する（ステップＳ１２０４）。
【００６７】
＜効果＞
【００６８】
前記テンプレートカスタマイズ部を利用してポータル画面のレイアウトを利用者がカスタマイズすることで、利用者は自分が好むレイアウトのポータル画面を情報取得装置を有する情報家電などに設定し情報を取得することができる。
【００６９】
＜実施形態３以上＞
【００７０】
＜実施形態４＞
【００７１】
＜概要＞
【００７２】
実施形態４の情報取得装置は、実施形態１に記載の情報取得部で取得した情報の全部又は一部を実施形態１に記載のポータル画面コンテンツ情報としてポータル画面コンテンツ情報保持部に保持することを特徴とする。そして、利用者などが本実施形態の情報取得装置を利用する際には、ポータル画面を通じて取得された文字や音や画像やデータの情報がポータル画面コンテンツ情報保持部に入力される。これにより、利用者は自身のポータル画面コンテンツ情報の量を増やしていくことができる。たとえば、利用者がポータル画面を通じて利用者が釣った魚の画像の情報を取得した際に、その画像の情報をポータル画面コンテンツ情報としてポータル画面コンテンツ情報保持部に保持することができる。
【００７３】
＜構成＞
【００７４】
図１３は実施形態４の機能ブロックの一例を示すものである。実施形態４の情報取得装置１３００は、実施形態１と同じ様に、テンプレート保持部１３０１とポータル画面コンテンツ情報保持部１３０２と情報取得部１３０３とを有する。これらは前述の実施形態と基本的に同様の機能を果たすので説明は省略する。
【００７５】
実施形態４の情報取得装置は前記情報取得部で取得した情報の全部又は一部をポータル画面コンテンツ情報としてポータル画面コンテンツ情報保持部に保持する。「全部又は一部」とは、ポータル画面を通じて取得された情報の全てもしくは一部の情報をポータル画面コンテンツ情報とすることをいう。
【００７６】
たとえば、利用者が釣った魚の画像の情報をポータル画面を通じて取得した場合を一例として説明する。デジタルカメラの記憶装置などに保存されている利用者が釣った魚の１０枚のＪＰＥＧ画像がデジタルカメラなどに備えられた小型記録媒体（ＳＤカード（登録商標））に保持されている際に、情報取得装置は前記１０枚のＪＰＥＧ画像を情報取得部を介して取得する。そして、１０枚のＪＰＥＧ画像の中で利用者が気に入った５枚のＪＰＥＧ画像をポータル画面コンテンツ情報とする際に、利用者が気に入った５枚のＪＰＥＧ画像をポータル画面に表示されている情報取得部のフォルダからポータル画面コンテンツ情報保持部のフォルダにドラッグする。
【００７７】
すると、前記５枚のＪＰＥＧ画像がポータル画面コンテンツ情報保持部へ移動される。その際に、前記５枚のＪＰＥＧ画像と現在表示されているポータル画面に利用されている釣りのテンプレートとが関連づけられる。そして、前記５枚のＪＰＥＧ画像がポータル画面コンテンツ情報保持部に保持される。また、利用者が釣った魚の１枚の魚画像の魚の部分だけをポータル画面コンテンツ情報とすることができてもよい。
【００７８】
＜処理の流れ＞
【００７９】
図１４に示すのは実施形態４のフローの一例である。実施形態４は以下のステップを有してもよい。まず、テンプレートと共にポータル画面コンテンツ情報を取得する（ステップＳ１４０１）。そして、ポータル画面を利用して外部から情報を取得する（ステップＳ１４０２）。そして、取得した情報の全部又は一部をポータル画面コンテンツ情報として保持する（ステップＳ１４０３）。
【００８０】
＜効果＞
【００８１】
前記情報取得部のポータル画面を利用して取得された情報が新たなポータル画面コンテンツ情報となる。そして、ポータル画面コンテンツ情報保持部が新たなポータル画面コンテンツ情報により拡充され、多様なポータル画面コンテンツ情報を情報取得装置の利用者に提供することができる。
【００８２】
＜実施形態４以上＞
【００８３】
＜実施形態５＞
【００８４】
＜概要＞
【００８５】
実施形態５の情報取得装置のポータル画面コンテンツ情報保持部は、前記情報取得部で取得した情報の全部又は一部をポータル画面コンテンツ情報として保持し、そして、テンプレートカスタマイズ部は前記ポータル画面コンテンツ情報を利用して実施形態３のカスタマイズをすることを特徴とする。そして、本実施形態の情報取得装置では、ポータル画面コンテンツ情報を利用してポータル画面を構成する際には、テンプレートの画面遷移やテンプレートに利用されるボタンや背景やＢＧＭ（バックグラウンドミュージック）の曲などの属性などを設定するポータル画面コンテンツ情報を利用する。これにより、ポータル画面を利用者のお気に入りのデザインにすることができる。たとえば、ポータル画面のデザインを季節に応じて変更しようとする際には、ポータル画面に配置されるボタンを雪の結晶の形にするポータル画面コンテンツ情報とポータル画面を雪景色の配色にするポータル画面コンテンツ情報とをポータル画面に利用されているテンプレートに関連づける。すると、ポータル画面が冬用のデザインに設定される。そして、ポータル画面を雪景色の配色にするポータル画面コンテンツ情報などは、事前に情報取得装置が有してもよいし、情報取得装置の外部から取得してもよい。
【００８６】
また、若者用のポータル画面ならば、お気に入りのタレントの画像をポータル画面の背景に設定したり、お気に入りの音楽をポータル画面のＢＧＭに設定することもできる。また、前記ポータル画面に表示される情報を取捨選択することもできる。たとえば、利用者が閲覧したい情報のみを表示させるために、前記ポータル画面に表示される情報で不必要な情報を利用者が指定することで、利用者が必要な情報だけを前記ポータル画面に表示させ、利用者がポータル画面に表示される情報の設定を行うことができる。
【００８７】
＜構成＞
【００８８】
図１１は実施形態５の機能ブロックの一例を示すものである。実施形態５の情報取得装置１１００は、実施形態３と同様に、テンプレート保持部１１０１とポータル画面コンテンツ情報保持部１１０２と情報取得部１１０３とテンプレートカスタマイズ部１１０４を有する。これらは前述の実施形態と基本的に同様の機能を果たすので説明は省略する。
【００８９】
実施形態５の情報取得装置のテンプレートカスタマイズ部は、前記ポータル画面コンテンツ情報保持部に保持されたポータル画面コンテンツ情報を利用して前記カスタマイズをする。前記ポータル画面コンテンツ情報は情報取得装置が事前に保持していてもよいし、外部から取得してもよい。「カスタマイズ」とは、ポータル画面コンテンツ情報がポータル画面の遷移の情報、または、ポータル画面の操作ボタンや背景やＢＧＭの属性の情報である際に、前記ポータル画面コンテンツ情報をテンプレートを利用してポータル画面のデザインを自由に設定することをいう。また、前記カスタマイズする際にはポータル画面を編集するための画面が用意されていてもよい。
【００９０】
図１５に前記ポータル画面を編集するための画面の一例を示す。図１５はデジタルテレビなどに表示されるポータル画面を編集する画面の一例である。前記ポータル画面を編集する画面の上部にはポータル画面の背景、レイアウト、ボタン、表示色、フォントサイズ、ＢＧＭが選択できるプルダウンメニュー１５０１が備えられている。そして、前記ポータル画面を編集する画面の中部にはビデオなどに蓄積されたテレビ番組とのリンクの情報を表示するバナーを表示する欄１５０２が備えられている。そして、前記ポータル画面を編集する画面の下部には過去に閲覧したお気に入りのＵＲＬへのリンクの情報やお気に入りの情報の内容を表示する欄１５０３が備えられている。そして、前記ポータル画面を編集する画面の左部には、テレビなどの番組をチェックし、録画の予約などをする機能やお気に入りの情報を整理する機能やポータル画面に表示する情報の内容を整理する機能を実行するためのボタンを表示する欄１５０４が備えられている。また、ポータル画面を編集する画面とは別の画像を編集するための画面が設けられることで、利用者が自身で作成した絵や利用者が取得した写真などの画像の情報を用いて背景やバナーの画像を作成し、ポータル画面の背景やバナーに設定できるようになっていてもよい。
【００９１】
また、本実施形態の別の実施例として、ポータル画面コンテンツ情報を利用して冬用のポータル画面にデザインを変更しようとした際に、図１５などに図示されるポータル画面の編集画面などを利用して、ポータル画面をカスタマイズする。そして、プルダウンメニュー１５０１などを利用して、春夏秋冬の四季のデザインのテーマなどを指定することで、ポータル画面のフォントのサイズや背景のデザインやボタンのデザインが一括して変更されてもよい。
【００９２】
＜処理の流れ＞
【００９３】
図１６に示すのは実施形態５のフローの一例である。実施形態５は以下のステップを有してもよい。まず、ポータル画面コンテンツ情報を取得する（ステップＳ１６０１）。そして、ポータル画面コンテンツ情報を利用してポータル画面をカスタマイズする（ステップＳ１６０２）。
【００９４】
＜効果＞
【００９５】
ポータル画面コンテンツ情報を利用して情報取得装置を有する情報家電などにポータル画面を設定し、利用者がポータル画面コンテンツ情報を利用して前記ポータル画面をカスタマイズすることで、利用者は自身が好むデザインを有するポータル画面を情報取得装置を有する情報家電などに設定することができる。
【００９６】
＜実施形態５以上＞
【００９７】
＜実施形態６＞
【００９８】
＜概要＞
【００９９】
実施形態６の情報取得装置の情報取得部は、通信により情報を取得する通信手段、放送により情報を取得する受信手段、記録媒体から情報を取得する入力手段のいずれか一以上の手段を有することを特徴とする。そして、本実施形態の情報取得部を利用することで、利用者はポータル画面を利用して、インターネットやＣＡＴＶや衛星放送や地上波デジタル放送や自宅にある情報取得装置などから利用者が欲しい情報を取得することができる。これにより、利用者はメディアの違いを意識することなく欲しい情報を取得することができる。
【０１００】
＜構成＞
【０１０１】
図１７は実施形態６の機能ブロックの一例を示すものである。実施形態６の情報取得装置１７００は、テンプレート保持部１７０１とポータル画面コンテンツ情報保存部１７０２と情報取得部１７０３とを有する。これらは前述の実施形態と基本的に同様の機能を果たすので説明は省略する。
【０１０２】
本実施形態の情報取得装置の情報取得部１７０３は、通信により情報を取得する通信手段１７０４、放送により情報を取得する受信手段１７０５、記録媒体から情報を取得する入力手段１７０６のいずれか一以上の手段を有する。「通信手段」とは、通信により情報を取得する手段であり、たとえば、インターネットや赤外線通信や無線通信や地上電話や携帯電話やブルートゥース対応機器などの通信手段である。「受信手段」とは、放送により情報を取得する手段であり、たとえば、地上波アナログ放送や地上波デジタル放送やアナログ衛星放送やデジタル衛星放送やインターネットのブロードバンドによる放送やラジオ放送などである。「入力手段」とは、記録媒体から情報を取得する手段であり、たとえば、パソコンや情報家電などに備えられたハードディスク、遠隔地及びＬＡＮ内のサーバなどのデータベース、ＳＤカード（登録商標）や携帯電話などのメモリ、そして、ＤＶＤなどの媒体である。また、前記通信手段、前記受信手段、前記入力手段は利用者の個人の所有物であってもよいし、公共に提供されている物であってもよいし、また、利用者が能動的に利用できる物であってもよいし、受動的に利用できる物であってもよいし、また、利用者の近傍にある物であってもよいし、利用者から遠隔にある物であってもよい。
【０１０３】
たとえば、本実施形態の情報取得装置を通じて、ポータル画面を利用して釣りの情報を取得する際には、利用者が、釣り、と指定すると、釣りのポータル画面コンテンツ情報の全て又は一部が釣りのテンプレートに基づきポータル画面として情報取得装置を有する情報家電などに表示される。そして、釣り場のリストや釣り場の映像がポータル画面に表示され、利用者は前記情報や映像がどのようなメディアや装置から取得されるのかを意識することなく簡単に知りたい情報をポータル画面を通じて取得できる。
【０１０４】
＜処理の流れ＞
【０１０５】
図１８に示すのは実施形態６のフローの一例である。実施形態６は以下のステップを有してもよい。まず、テンプレートを指定する（ステップＳ１８０１）。そして、テンプレートを取り出す（ステップＳ１８０２）。そして、テンプレートと関連するポータル画面コンテンツ情報を取り出す（ステップＳ１８０３）。そして、テンプレートとポータル画面コンテンツ情報よりポータル画面を構成する（ステップＳ１８０４）。ポータル画面を利用して通信により情報を取得したり、放送により情報を取得したり、記録媒体から情報を取得したりする。（ステップＳ１８０５）。
【０１０６】
＜効果＞
【０１０７】
本実施形態の情報取得装置の情報取得部を利用することで、利用者は、メディアの違いを意識することなく欲しい情報や知りたい情報を簡単に取得することができる。
【０１０８】
＜実施形態６以上＞
【０１０９】
＜実施形態７＞
【０１１０】
＜概要＞
【０１１１】
実施形態７の情報取得装置のポータル画面コンテンツ情報は、音声情報、映像情報、文字情報からなることを特徴とする。そして、本実施形態の情報取得装置を利用することで、利用者はポータル画面から音声情報、映像情報、文字情報などの多様な情報を取得することができる。そして、ポータル画面から取得された情報が新たなポータル画面コンテンツ情報にされる際にも、前記多様な情報を新たなポータル画面コンテンツ情報にすることができる。
【０１１２】
＜構成＞
【０１１３】
図２は実施形態７の機能ブロックの一例を示すものである。実施形態７の情報取得装置０２００は、テンプレート保持部０２０１とポータル画面コンテンツ情報保持部０２０２と情報取得部０２０３とを有する。これらは実施形態１の構成と基本的に同様の機能を果たすので説明は省略する。
【０１１４】
本実施形態の情報取得装置のポータル画面コンテンツ情報は、音声情報、映像情報、文字情報からなる。「音声情報」とは、アナログ音源の楽曲及び音声またはデジタル音源の楽曲であり、たとえば、レコードやＣＤ及びＭＤのデータや所定の圧縮方式で作成された圧縮ファイルなどである。「映像情報」とは、アナログの映像情報及びデジタルの映像情報であり、たとえば、ＪＰＥＧ画像やＭＰＥＧ動画やＮＴＳＣ信号の情報などである。「文字情報」とは、文字コード表による規定されるデータやロゴ化された文字が表示された画像データであり、たとえば、ＪＩＳコード表で表現される２バイトのデータやロゴが表示されるＪＰＥＧデータなどである。また、本実施形態のポータル画面コンテンツ情報は、情報取得装置が事前に有していてもよいし、情報取得装置の外部から取得されてもよい。
【０１１５】
＜処理の流れ＞
【０１１６】
実施形態７のフローの一例は基本的に実施形態１に記載のフロー図の一例である図６と同じ内容であるので説明を省略する。ただ、本実施形態のポータル画面コンテンツ情報は音声情報、映像情報、文字情報からなる点がことなる。
【０１１７】
＜効果＞
【０１１８】
本実施形態のポータル画面コンテンツ情報により、情報取得装置の利用者は音声情報、映像情報、文字情報などの多様な情報を取得することができる。
【０１１９】
＜実施形態７以上＞
【０１２０】
＜実施形態８＞
【０１２１】
＜概要＞
【０１２２】
実施形態８の情報取得装置のポータル画面コンテンツ情報は、プログラムからなることを特徴とする。そして、本実施形態の情報取得装置を利用することで、利用者は情報取得装置などに接続されたメディアや装置などを多様に制御することができる。たとえば、本実施形態の情報取得装置のポータル画面コンテンツ情報が、情報取得装置を有する情報家電などに接続されているインターネットのＡＤＳＬ回線が通じなくなった際に、電話回線経由でインターネットに通じるように設定されたプログラムであるポータル画面コンテンツ情報である際に、そのポータル画面コンテンツ情報をポータル画面に利用することで、利用者は自身で意識することなく、情報取得装置を有する情報家電などのインターネットへの接続を簡単に維持することができる。また、前記ポータル画面コンテンツ情報は情報取得装置が事前に有していてもよいし、情報取得装置の外部から取得されてもよい。
【０１２３】
＜構成＞
【０１２４】
図２は実施形態８の機能ブロックの一例を示すものである。実施形態８の情報取得装置０２００は、テンプレート保持部０２０１とポータル画面コンテンツ情報保持部０２０２と情報取得部０２０３とを有する。これらは実施形態１の構成と基本的に同様の機能を果たすので説明は省略する。
【０１２５】
本実施形態のポータル画面コンテンツ情報は、コンピュータを実行させるためのプログラムである。たとえば、前記プログラムは、天候条件により衛星回線が受信できなくなった際には、ポータル画面のレイアウトを変更して衛星回線からの画像をポータル画面に表示しないようにするプログラムである。
【０１２６】
＜処理の流れ＞
【０１２７】
実施形態８のフローの一例は基本的に実施形態１に記載のフロー図の一例である図６と同じ内容であるので説明を省略する。ただ、本実施形態のポータル画面コンテンツ情報はプログラムからなる点がことなる。
【０１２８】
＜効果＞
【０１２９】
本実施形態のポータル画面コンテンツ情報を利用することで、利用者は情報取得装置などに接続されたメディアや装置を多様に制御することができる。
【０１３０】
＜実施形態８以上＞
【０１３１】
＜実施形態９＞
【０１３２】
＜概要＞
【０１３３】
実施形態９の情報取得装置は情報家電であることを特徴とする。そして、本実施形態の情報取得装置を利用することで、利用者は情報家電を設置する場所を確保するだけでよくなる。たとえば、デジタルテレビを壁掛けに設置する際には情報取得装置がデジタルテレビに内蔵されていることで、デジタルテレビを壁に設置するだけで情報取得装置を利用することができる。
【０１３４】
＜構成＞
【０１３５】
実施形態９の情報取得装置は、テンプレート保持部とポータル画面コンテンツ情報保持部と情報取得部を有する。また、テンプレートカスタマイズ部を有してもよい。また、前記情報取得部は通信手段、受信手段、入力手段、を有してもよい。これらは前述の実施形態と基本的に同様の機能を果たすので説明は省略する。
【０１３６】
実施形態９の情報取得装置は情報家電である。たとえば、情報家電などに本実施形態の情報取得装置が内蔵されてもよい。「情報家電」とは、通信用機器や情報処理装置などが内蔵されている、情報による付加価値を高めた家庭用電化製品をいう。例えば、情報家電は、インターネットに接続して情報の送受信をする機能を有している。そして、利用者が情報家電などの外観からは情報取得装置が具備されていることがわからないように内蔵されている。たとえば、本実施形態の情報家電とは、セットトップボックス、デジタルテレビ、ホームサーバ（パソコン）、デジタル電話機及び携帯電話機、ホームシアター機器、ＤＶＤプレーヤ及びレコーダ、デジタルビデオ、デジタルビデオカメラ、デジタルカメラ、ＦＡＸ、インターホン及びテレビドアホン、カーナビゲーションシステム、カーオーディオシステム、デジタルオーディオ機器、電子楽器、プリンタ、魚群探知機、電動自転車及び自動車、補聴器、冷蔵庫、レンジ、ＩＨ調理器、トースタ、浄水器、食器洗い及び乾燥機、生ごみ処理機、洗濯機、衣類乾燥機、掃除機、除湿機、空気清浄機、懐中電灯、冷暖房エアコン、扇風機、加湿器、電気カーペット、電気温風器、電気ストーブ、コタツ、ホームエレベータ、換気扇、発電システム、照明器具、マッサージ椅子、シェーバ、ドライヤなどである。
【０１３７】
図１９は本実施形態の情報取得装置の実施の一例を示すものである。たとえば、デジタルテレビ１９０１の中に情報取得装置の全部１９０２が内蔵されていてもよい。また、デジタルテレビの近傍にあるホームサーバ１９０４などに本実施形態の情報取得装置が内蔵されてもよい。
【０１３８】
＜処理の流れ＞
【０１３９】
実施形態９のフローの一例は基本的に従前の実施形態に記載のフロー図の一例と同じ内容であるので説明を省略する。ただ、本実施形態の情報取得装置が情報家電である点がことなる。
【０１４０】
＜効果＞
【０１４１】
本実施形態の情報取得装置を利用することで、利用者は情報取得装置を利用する際に、利用者は情報家電との違いを外観上を意識することがなくなる。
【０１４２】
＜実施形態９以上＞
【０１４３】
【発明の効果】
本発明の情報取得装置を利用することで、利用者はポータル画面を自由に簡単に構成することができる。そして、前記ポータル画面が情報家電などに表示されることで、利用者は自分の欲しい情報や知りたい情報をポータル画面を通じて簡単に取得することができる。
【図面の簡単な説明】
【図１】実施形態１の概念の一例を示す図
【図２】実施形態１の機能ブロック図の一例を示す図
【図３】実施形態１の構成の一例を示す図
【図４】実施形態１の構成の一例を示す図
【図５】実施形態１の構成の一例を示す図
【図６】実施形態１のフロー図の一例を示す図
【図７】実施形態２の機能ブロック図の一例を示す図
【図８】実施形態２の構成の一例を示す図
【図９】実施形態２の構成の一例を示す図
【図１０】実施形態２のフロー図の一例を示す図
【図１１】実施形態３の機能ブロック図の一例を示す図
【図１２】実施形態３のフロー図の一例を示す図
【図１３】実施形態４の機能ブロック図の一例を示す図
【図１４】実施形態４のフロー図の一例を示す図
【図１５】実施形態５の構成の一例を示す図
【図１６】実施形態５のフロー図の一例を示す図
【図１７】実施形態６の機能ブロック図の一例を示す図
【図１８】実施形態６のフロー図の一例を示す図
【図１９】実施形態９の構成の一例を示す図
【符号の説明】
０２００  情報取得装置
０２０１  テンプレート保持部
０２０２  ポータル画面コンテンツ情報保持部
０２０３  情報取得部
【図１】
2004246509.tif 000003
【図２】
2004246509.tif 000004
【図３】
2004246509.tif 000005
【図４】
2004246509.tif 000006
【図５】
2004246509.tif 000007
【図６】
2004246509.tif 000008
【図７】
2004246509.tif 000009
【図８】
2004246509.tif 000010
【図９】
2004246509.tif 000011
【図１０】
2004246509.tif 000012
【図１１】
2004246509.tif 000013
【図１２】
2004246509.tif 000014
【図１３】
2004246509.tif 000015
【図１４】
2004246509.tif 000016
【図１５】
2004246509.tif 000017
【図１６】
2004246509.tif 000018
【図１７】
2004246509.tif 000019
【図１８】
2004246509.tif 000020
【図１９】
2004246509.tif 000021